(57)【要約】【課題】  多種多様な臭気やフレーバーが発散され若しくは水分率の異なるパン類やケーキ類が混在収納されても、風味や食感を損わず配送可能な食品配送用消臭調湿ばんじゅうを提供する。【解決手段】  合成樹脂素材や金属板材若しくは紙素材からなり、所要の大きさで正方形状若しくは長方形状の底部周縁より壁部が延出されて開口部が形成され、且底部裏面には開口部内に嵌入しえる嵌入凸部で設けられた収納体の壁部内面並びに底面及び底部裏面の嵌入凸部内側面に、平均粒径が１００μｍ以下で比表面積が１２０ｍ２／ｇ以上及び塩基置換容量（ｍｅｑ／１００ｇ）が２５０ｍｇ以上の人工ゼオライト粉体若しくは合成ゼオライト粉体が、アクリル酸若しくはメタクリル酸エマルジョンからなる塗着成分により７０ｇ／ｍ２以上の塗着重量割合で且透気透水性を有する消臭調湿塗膜が塗着された構造。【選択図】  図１
0003103500.tif 000002
【実用新案登録請求の範囲】
【請求項１】
合成樹脂素材及び金属板材若しくは紙素材よりなり、所要の大きさで正方形状若しくは長方形状の底部の周縁より壁部が延出されて開口部が形成され、且底部裏面には開口部内に嵌入しえる嵌入凸部が設けられた収納体の壁部内面並びに底面及び底部裏面の嵌入凸部内側面には、その平均粒径が１００μｍ以下で比表面積が１２０ｍ２／ｇ以上及び塩基置換容量（ｍｅｑ／１００ｇ）が２５０ｍｇ以上の人工ゼオライト粉体若しくは合成ゼオライト粉体がアクリル酸若しくはメタクリル酸エマルジョンからなる塗着成分により、実質的に７０ｇ／ｍ２以上の塗着重量割合で且透気透湿性を保持する消臭調湿塗膜により塗着された構造からなる食品配送用消臭調湿ばんじゅう。
【請求項２】
収納体の壁部内面並びに底面及び底部裏面の嵌入凸部内側面に、家庭用薄葉紙若しくは不織布からなる基材の一側面若しくは両側面に平均粒径が１００μｍ以下で比表面積が１２０ｍ２／ｇ以上及び塩基置換容量（ｍｅｑ／１００ｇ）が２５０ｍｇ以上の人工のゼオライト粉体若しくは合成ゼオライト粉体が、アクリル酸若しくはメタクリル酸エマルジョンからなる塗着成分により７０ｇ／ｍ２以上の塗着重量割合を以って、且透気透湿性を保持する消臭調湿層が塗着形成され、而もその一側面には粘着層が形成されてなる消臭調湿シートが貼着された構造からなる、請求項１記載の食品配送用消臭調湿ばんじゅう。
【請求項３】
収納体の対称的壁部の中央横方向及び該対称的壁部と直交する壁部の中央横方向に屈曲可能な屈曲凹条が形成され、而も直交する壁部の四隅から該直交する壁部に形成された屈曲凹条の中央点に亘って交差屈曲凹条が設けられることにより、収納体が折畳みできる構造からなる請求項１若しくは請求項２記載の食品配送用消臭調湿ばんじゅう。
【考案の詳細な説明】
【技術分野】
【０００１】  本考案は食品特にはパン類やケーキ類の配送に際して、風味や食感を損わずに配送可能な消臭調湿ばんじゅうに関するものある。
【背景技術】
【０００２】  我が国の食生活水準は近年著しく向上し高級化指向とともに個性化も富みに強まっており、加えて食生活態様も核家族化や少子化或いは主婦の就労化等により外食化や中食化が著しく増大化している。
これがためパン類やケーキ類の需要は増大化の一途を辿っているもので、パン類においてはアンチョビやレーズン、コーン等を混合させて風味や食感を変えたものを初め、野菜や魚肉、蓄肉若しくはコロッケや焼そば等を挟入させたもの、若しくはジャム、クリーム、チョコレート等を内包させたものなど極めて多種多様なものが消費されるに至っており、更にケーキ類においても各種のクリーム類やチョコレートを混合若しくは内包させたものを初め、多種に亘る果実やハーブ等を組合せ或いはリキュール類を含浸させたもの等が多量に消費されている実情にある。【０００３】  ところで現状におけるこれらパン類やケーキ類は、イースト菌により発酵させ若しくは化学膨剤により発泡させた所謂多孔状の発泡構造を有するものであって、他方これらパン類やケーキ類は製パン後若しくは製菓後、可能な限り短時間内に消費させることが、その風味や食感を損わぬうえから重要であるため、製パン後若しくは製菓後は直ちに全国に点在する小売店やホテル或いはレストラン等に配送がなされる必要がある。【０００４】  これがためパン類やケーキ類の配送に際しては図６に示すように、合成樹脂素材を用いて底部Ａを有し全体形状が正方形若しくは長方形状で、且四壁面Ｂの上端開口部Ｃには開口縁Ｄが形成され、而も底部Ａの裏側面には多段に積合が可能なように、積合される開口部Ｃ内に嵌合しえるよう嵌合凸部Ｅが形成されてなる配送用容器所謂ばんじゅうＦが専ら使用されている。【０００５】  然るにパン類やケーキ類は前述の如く高級化や個性化の消費態様により極めて多種に亘るものが消費される関係上、配送のためのばんじゅう内には多種のパン類やケーキ類が混在収納されて配送されることとなり、且配送時には該ばんじゅうが多段に積合されるために、ばんじゅう内が密閉空間となり混在収納されるパン類やケーキ類からは多種多様な臭気やフレーバーが発散されて該密閉空間内に充満し、特にケーキ類の如く生クリームや生地がスポンジからなるものでは、該発散充満する臭気やフレーバーが容易に吸着され、折角のケーキ特有の風味も根底から損われる結果となっている。【０００６】  更にパン類とケーキ類とが混在収納された場合にはケーキ類では水分率の高いものが多く、このケーキ類の水分が配送時にばんじゅう内の密閉空間に蒸散されて内部に充満すると、水分率の低いパン類に吸湿され折角のベイキングによるパン類の食感が損われる問題も内在する。
【考案の開示】
【考案が解決しようとする課題】
【０００７】  本考案はかかる問題を解決するためになされたものであって、本考案は多種多様な臭気やフレーバーが発散され若しくは水分率の異なるパン類やケーキ類が混在収納されても、風味や食感を損うことなく配送の可能な、食品配送用消臭調湿ばんじゅうを提供することにある。
【課題を解決するための手段】
【０００８】  上述の課題を解決するために本考案が用いた技術的手段は、合成樹脂素材や金属板材若しくは紙素材よりなり、所要の大きさで正方形状若しくは長方形状の底部と該底部の周縁より壁部が延出され開口部が形成されてなるとともに、底部裏面には開口部内に嵌入させて多段に積合できるよう嵌入凸部が設けられて収納体が構成されている。【０００９】  そしてこの収納体の壁部内面並びに底面及び底部裏面の嵌入凸部内側面には、混在収納され配送されるパン類やケーキ類から発散される臭気やフレーバーを積極的且効率的に吸着させたうえ効果的に分解消臭若しくは分解消去させ、更には水分率の異なるパン類やケーキ類の混在収納に伴い蒸散放湿される湿気、或いは多湿時における湿気を積極的且効率的に吸湿せしめてパン類等の吸湿崩形や食感の低下を防止し、若しくは水分率の高いケーキ類からの過剰蒸散を抑制して食感を保持せしめるために消臭調湿塗膜が塗着されている。【００１０】  この消臭調湿塗膜はその平均粒径が１００μｍ以下で比表面積が少なくとも１２０ｍ２／ｇ以上及び塩基置換容量（ｍｅｑ／１００ｇ）が２５０ｍｇ以上の人工ゼオライト粉体若しくは合成ゼオライト粉体を用い、該人工ゼオライト粉体若しくは合成ゼオライト粉体の吸着性や吸湿性が阻害されることなく、且強固に而も高い使用安全性を保持させるうえから、アクリル酸若しくはメタクリル酸エマルジョンを塗着成分として、該人工ゼオライト粉体若しくは合成ゼオライト粉体が実質的に７０ｇ／ｍ２以上の塗着重量割合で、而も透気透湿性が保持されるよう塗着された構造からなる食品配送用消臭調湿ばんじゅうに存する。【００１１】  更に本考案においては混在収納され配送されるパン類やケーキ類から発散される臭気やフレーバーの吸着消臭及び蒸散される湿気の吸湿機能を消臭調湿塗膜に代えて消臭調湿シートの貼着による手段も採用できるもので、かかる手段は家庭用薄葉紙若しくは不織布からなる基材に平均粒径が１００μｍ以下で、比表面積が少なくとも１２０ｍ２／ｇ以上及び塩基置換容量（ｍｅｑ／１００ｇ）が２５０ｍｇ以上の人工ゼオライト粉体若しくは合成ゼオライト粉体を、アクリル酸若しくはメタクリル酸エマルジョンからなる塗着成分で、該人工ゼオライト粉体若しくは合成ゼオライト粉体が実質的に７０ｇ／ｍ２以上の塗着重量割合で、而も透気透湿性を保持するよう消臭調湿層が形成された消臭調湿シート材となしたるうえ、この消臭調湿シート材を収納体の壁部内面並びに底面及び底部裏面の嵌入凸部内側面に貼着させてなる構造に存する。
【考案の効果】
【００１２】  本考案は上述の如き構成からなるもので、収納体の壁部内面並びに底面及び底部裏面の嵌入凸部内側面に、その平均粒径が１００μｍ以下の微粒状で吸着表面積率や吸湿表面積率が極めて大きく、且その比表面積が少なくとも１２０ｍ２／ｇ以上と極めて大きな吸着容量並びに吸湿容量を保持し、更には本質的に触媒作用を有するとともにその塩基置換容量（ｍｅｑ／１００ｇ）が２５０ｍｇ以上の極めて強い塩基置換性を有する人工ゼオライト粉体若しくは合成ゼオライト粉体を７０ｇ／ｍ２以上の塗着重量割合を以って消臭調湿塗膜が塗着形成され、若しくは消臭調湿シートで貼着されてなるためその絶対吸着吸湿容量並びに塩基置換容量が膨大容量に形成される。【００１３】  これがため多種多様なパン類やケーキ類が混在収納され配送がなされても、発散される臭気やフレーバー等が積極的且効率的に吸着されるとともに、この吸着された臭気やフレーバーは触媒作用と強い塩基置換性とにより容易に分解消臭及び分解消去されるため、混在収納による配送においても他のパン類やケーキ類からの臭気やフレーバーの付着や浸透が防止され風味を損うことなく配送でき、而も臭気やフレーバーの吸着に伴う吸着飽和も発生しないため長期に亘って吸着性とともに分解消臭や分解消去作用が発揮される。【００１４】  更に混在収納される多種多様に水分率の異なるパン類やケーキ類の配送に際しても、膨大な絶対吸湿容量の消臭調湿塗膜若しくは消臭調湿シートが壁部内面並びに底面及び底部裏面の嵌入凸部内側面に塗着若しくは貼着されてなるから、水分率の高い商品から蒸散される湿気が積極的且効率的に吸湿されて水分率の少ない商品への吸湿崩形や食感の低下が防止され、而も人工ゼオライト粉体や合成ゼオライト粉体は過剰な湿気を吸湿保水のうえ乾燥状態に従って放湿させる調湿作用を具備するため、配送中においては本考案ばんじゅう内の湿度が略一定に保持されるため、水分率の多い商品からの過剰の水分蒸散が抑制されて食感を損ねることも防止される。【００１５】  更に繰返し配送がなされて汚れが発生した場合において、消臭調湿塗膜が塗着されてなるものでは適宜の洗浄液で洗浄させるのみで容易に汚れが除去できるとともに、消臭調湿塗膜内に吸水された洗浄液も調湿作用により積極的に放水放湿されるため極めて短時間で乾燥がなされ、而も消臭調湿シートが貼着されてなる場合には、汚損した消臭調湿シートを剥離交換するのみで簡単に清浄化が図れる。
【考案を実施するための最良の形態】
【００１６】  合成樹脂素材で一体的に成形され所要の大きさで正方形状若しくは長方形状の底部の周縁より壁部が延出されて開口部が形成されてなり、且底部裏面には開口部内に嵌入し多段に積合できる嵌入凸部が形成された収納体と、該収納体の壁部内面並びに底面及び底部裏面の嵌入凸部内側面には、平均粒径が１００μｍ以下で比表面積が１２０ｍ２／ｇ以上及び塩基置換容量（ｍｅｑ／１００ｇ）が２５０ｍｇ以上の人工ゼオライト粉体が、アクリル酸エマルジョンからなる塗着成分を用い実質的に７０ｇ／ｍ２以上の塗着重量割合で、且透気透湿性を保持する消臭調湿塗膜が塗着形成された構造の食品配送用消臭調湿ばんじゅう。
【実施例１】
【００１７】  以下に本考案実施例を図とともに詳細に説明すれば。図１は本考案の見取図であり図２は本考案の底面見取図であって、収納体１は合成樹脂素材を用いて一体的に成形されるものが生産性やコスト的に安価なうえから一般的に用いられるもので、合成樹脂素材の具体的なものとしてはポリエチレンやポリプロピレン等のポリオレフィン系合成樹脂若しくはＡＢＳ樹脂等が挙げられる。【００１８】  そしてかかる収納体１は収納性とともに配送時の取扱が至便であること等より、底部１Ａは正方形状若しくは長方形状に形成されるもので、且この底部１Ａの周縁１Ｂからはそれぞれ所要の高さの壁部１Ｃ、１Ｃ・・が延出されたうえ開口部１Ｄが形成されている。
かかる場合に底部１Ａの大きさは具体的に収納される食品の大きさ等により決定されるが、パン類やケーキ類の場合では縦が略３５０乃至４５０ｍｍ、横が略５００乃至６５０ｍｍ程度であり、且壁部１Ｃの高さとしては略６０乃至１６０ｍｍ程度のものとなる。
加えて該収納体１内の収納量が多量で且多段に積合されて配送がなされる場合には、収納体１の壁部１Ｃ、１Ｃ・・に大きな荷重が付加されることから十分に補強を施す必要が生ずるため、壁部１Ｃ、１Ｃ・・の上端には補強のための補強縁１Ｅを形成させておくことが望まれる。【００１９】  更に該収納体１の壁部裏面１Ｆには、収納体１内に食品類を混在収納のうえ多段に積合して配送が可能なように、積合される他の収納体１の開口部１Ｄ内に嵌入しえるよう嵌入凸部１Ｇが形成されている。
かかる場合において嵌入凸部１Ｇが開口部１Ｄ全体に亘って嵌入しえるような凸条線状に形成させても良いが、開口部１Ｄ内に嵌入されて多段に配送できるものであれば十分であることから、図２に示すように開口部１Ｄの四隅に嵌入しえる程度の形状及び長さで形成されれば良い。当然に収納体１の素材は、合成樹脂素材の他にアルミやステンレスの如き金属板材、或いは強化ダンボールの如き紙素材も採用できる。【００２０】  収納体１は一体的に立体形状に成形されたものの使用では、食品類が混在収納され配送される場合にも大きな容積を有するため一度に多量の配送がなされる時には当然のこと、特にパン類やケーキ類の如く風味や食感が時間経過とともに損われ易い商品では少量で頻繁な配送がなされるものであるから、配送後の収納体１の保管のためには膨大な保管スペースが必要となり、更に配送車による回収を図る場合にも配送量は日々に著しく変動するため、応々にしてその一部の回収しか出来ぬ問題を抱えている。【００２１】  これがため図３に示すように合成樹脂素材で一体的に成形される収納体１０の対称的壁部１０Ｃ、１０Ｃの中央横方向に屈曲可能なように屈曲凹条１０Ｄ、１０Ｄを更に該対称的壁部１０Ｃ、１０Ｃと直交する壁部１１Ｃ、１１Ｃの中央横方向にも同様に屈曲凹条１１Ｄ、１１Ｄが形成され而も該直交する壁部１１Ｃ、１１Ｃの四隅１１Ｅ、１１Ｅ・・から該屈曲凹条１１Ｄ、１１Ｄの中央点１１Ｆに亘って交差屈曲凹条１１Ｇ、１１Ｇを設けることにより、配送に際しては対称的壁部１０Ｃ、１０Ｃ及び直交する壁部１１Ｃ、１１Ｃを上下方向に引き伸ばすことにより立体的収納体１０となして混在収納させ、且配送前の保管時や配送後の不使用時には、引き伸ばされた対称的壁部１０Ｃ、１０Ｃ及び直交する壁部１１Ｃ、１１Ｃを上下方向に押圧することにより屈曲凹条１０Ｄ、１０Ｄ並びに１１Ｄ、１１Ｄ及び交差屈曲凹条１１Ｇ、１１Ｇ部分を屈曲させることで扁平状に折畳まれる収納体１０所謂折畳み収納体１０の利用も考慮される。無論、折畳み収納体１０はかかる手段の他に、底部と壁部とを蝶番で折畳み可能とした形状のものでも使用可能である。【００２２】  かかる如くしてなる収納体１の壁部内面１Ｈ並びに底面１Ｊ、及び底部裏面１Ｆに形成される嵌入凸部１Ｇの内側面１Ｋには、収納体１内に混在収納される食品類特にはパン類やケーキ類の如く多様な臭気やフレーバーの発生と且その吸着や付着浸透により風味が損われ、或いは多様な水分率の相違により蒸散される湿気の吸湿に伴う吸湿崩形や食感の低下、或いは過剰な水分蒸散による風味や食感の喪失等を防止するうえから消臭調湿塗膜２が塗着され若しくは消臭調湿シート３が貼着されている。【００２３】  即ちこの消臭調湿塗膜２若しくは消臭調湿シート３による臭気やフレーバーの吸着並びに消臭機能や、過剰な湿気の吸湿と保水を図り且乾燥状態に従って放湿をなさしめて略一定の湿度に保持させる調湿機能を発揮させるうえからは、所要の性能を保持する人工ゼオライト粉体若しくは合成ゼオライト粉体２Ａが用いられる。【００２４】  そして消臭調湿塗膜２は収納体１内で発生する臭気やフレーバー或いは蒸散する湿気を積極的に吸着並びに吸湿させる必要上から、臭気やフレー��ー若しくは湿気との吸着表面積率若しくは吸湿表面積率が極めて大きなものが好適であること、及び塗着形成される消臭調湿塗膜２を平滑状に形成させるうえから、その平均粒径においては１００μｍ以下望ましくは１乃至３０μｍの微粒状の人工ゼオライト粉体若しくは合成ゼオライト粉体２Ａが用いられ、且発散される臭気やフレーバー並びに蒸散される湿気を効率的に吸着し若しくは吸湿するためには、大きな吸着容量並びに吸湿容量所謂比表面積の大きなものが要請されるため、その比表面積においては少なくとも１２０ｍ２／ｇ以上望ましくは１５０乃至１８０ｍ２／ｇ以上のものが選択される。【００２５】  加えて臭気やフレーバーの吸着消臭を活性炭の如き物理的吸着のみに依存すると、短時に吸着飽和をきたし消臭機能が喪失されて、本考案の目的を十分に達成しえない。
そこでこの吸着された臭気やフレーバーを本質的に保持する触媒作用と、且強い塩基置換性とにより分解消臭若しくは分解消去させることが有効であることから、その塩基置換容量（ｍｅｑ／１００ｇ）としては少なくとも２５０ｍｇ以上望ましくは３００乃至３５０ｍｇ以上の人工ゼオライト粉体若しくは合成ゼオライト粉体２Ａが選択使用される。【００２６】  かくして選択された人工ゼオライト粉体若しくは合成ゼオライト粉体２Ａを、収納体１の壁部内面１Ｈ並びに底面１Ｊ、及び底部裏面１Ｆに形成された嵌入凸部１Ｇの内側面１Ｋに強固に且高い使用安全性を以って塗着させるために、使用する塗着成分２Ｂとしてアクリル酸若しくはメタクリル酸エマルジョンが使用される。【００２７】  加えて重要なことは収納体１内で発散される臭気とフレーバー或いは蒸散される湿気を確実に吸着若しくは吸湿せしめて消臭や調湿を効果的に発揮させるうえからは、その絶対吸着容量並びに絶対吸湿容量を膨大容量を以って形成させることが望まれるため、塗着形成される消臭調湿塗膜２には人工ゼオライト粉体若しくは合成ゼオライト粉体２Ａが実質的に７０ｇ／ｍ２以上の塗着重量割合望ましくは１５０乃至２００ｇ／ｍ２以上の塗着重量割合を以って塗着させることであり、而もこの塗着される人工ゼオライト粉体や合成ゼオライト粉体２Ａ全体に、発散若しくは蒸散される臭気やフレーバー或いは湿気が十分に透気透湿される消臭調湿塗膜２として塗着させることにある。【００２８】  かかる場合における消臭調湿塗膜２に透気透湿性を保持させる手段としては多様な手段が提案されるが、具体例を挙げれば図４に示す如くアクリル酸若しくはメタクリル酸エマルジョンの如き水分率の高い塗着成分２Ｂを用い、塗着後に多量の水分の蒸散に伴う微細且多数の蒸散孔２Ｃを生成させ、且多量の水分を吸水した人工ゼオライト粉体若しくは合成ゼオライト粉体２Ａの調湿作用に基づく放水放湿に伴う蒸散孔２Ｃの生成との複合により透気透湿性が保持され、更には塗着成分にポリアクリル酸アンモニウムやオレイン酸カリウム或いはステアリン酸アンモニウム等の気泡剤を全体量に対して略１．０乃至５．０％重量割合で配合のうえ、収納体１の壁部内面１Ｈや底面１Ｊ或いは底部裏面１Ｆの嵌入凸部１Ｇの内側面１Ｋ等の被着面２０に塗着をなすことにより、発泡に伴う比較的孔径の大きな蒸散孔２Ｃが多量に付加生成されて十分な透気透湿性が保持され、而してこの消臭調湿塗膜２が塗着形成されて本考案食品配送用消臭調湿ばんじゅう４が形成される。【００２９】  図５は消臭調湿塗膜２に代えて貼着使用される消臭調湿シート３の説明図であって、該消臭調湿シート３は、食品類が混在収納され配送が繰返されて汚損が発生した場合に、被着面２０より適宜に剥離し新たな消臭調湿シート３を貼着して使用するもので、該消臭調湿シート３は基材３Ａとして扁平状で強靭、柔軟且軽量で安価なうえ人工ゼオライト粉体若しくは合成ゼオライト粉体２Ａを強固に塗着しえる塗着性を具備するものが望まれることから、家庭用薄葉紙若しくは不織布が用いられる。【００３０】  そしてこの基材３Ａの一側面若しくは両側面にアクリル酸若しくはメタクリル酸エマルジョンからなる塗着成分２Ｂを用いて、人工ゼ��ライト粉体若しくは合成ゼオライト粉体２Ａを実質的に７０ｇ／ｍ２以上の塗着重量割合望ましくは１５０乃至２００ｇ／ｍ２以上の塗着重量割合を以って、且透気透水性が保持されるよう消臭調湿層３Ｂを塗着形成させたうえ、その一側面に貼着及び剥離が容易に粘着層３Ｃを形成させて消臭調湿シート３となし而して該消臭調湿シート３を、収納体１の壁部内面１Ｈや底面１Ｊ或いは底部裏面１Ｆの嵌入凸部１Ｇ内側面１Ｋ等の被着面２０に貼着させてなる構造の食品配送用消臭調湿ばんじゅう４に存する。
【産業上の利用可能性】
【００３１】  本考案は混在収納されるパン類やケーキ類等から発散される臭気やフレーバーを積極的効率的に吸着且消臭して配送時における風味の保持と、蒸散される湿気を抑制して食感の保持も可能なばかりか、生鮮野菜や果実或いは魚介類の配送に際してもそのガス吸着と分解消去及び調湿作用により鮮度保持に優れた配送も可能となる。
【図面の簡単な説明】
【００３２】
【図１】  本考案の見取図である。
【図２】  本考案の底面見取図である。
【図３】  折畳み収納体の説明図である。
【図４】  消臭調湿塗膜の拡大説明図である。
【図５】  消臭調湿シートの拡大説明図である。
【図６】  従来のばんじゅうの説明図である。
【符号の説明】
【００３３】    １    収納体
１Ａ  底部
１Ｂ  底部周縁
１Ｃ  壁部
１Ｄ  開口部
１Ｅ  補強縁
１Ｆ  底部裏面
１Ｇ  嵌入凸部
１Ｈ  壁部内面
１Ｊ  底面
１Ｋ  嵌入凸部内側面
１０    折畳み収納体
１０Ｃ  対称的壁部
１０Ｄ  対称的壁部の屈曲凹条
１１Ｃ  直交する壁部
１１Ｄ  直交する壁部の屈曲凹条
１１Ｅ  直交する壁部の四隅
１１Ｆ  中央点
１１Ｇ  交差屈曲凹条
２    消臭調湿塗膜
２Ａ  人工ゼオライト粉体若しくは合成ゼオライト粉体
２Ｂ  塗着成分
２Ｃ  蒸散孔
２０    被着面
３    消臭調湿シート
３Ａ  基材
３Ｂ  消臭調湿層
３Ｃ  粘着層
４    本考案食品配送用消臭調湿ばんじゅう
【図１】
0003103500.tif 000003
【図２】
0003103500.tif 000004
【図３】
0003103500.tif 000005
【図４】
0003103500.tif 000006
【図５】
0003103500.tif 000007
【図６】
0003103500.tif 000008